(57)【特許請求の範囲】
【請求項１】
基材となるプラスチックフィルムの片面に貼り合せた金属箔の上からパターン状に防護ニスを印刷し、非印刷領域の金属箔を腐食によって除去した後に、防護ニスを剥離することなく、金属箔の上から全面にプラスチックフィルムを貼り合せてパターンを打ち抜き、
基材となるプラスチックフィルムの金属箔との貼り合せからパターンの打ち抜きまでの各工程が、巻取りでの連続加工で行われることを特徴とする太陽電池バックシートの製造方法。
【請求項２】
防護ニスが印刷される範囲が打ち抜くパターンよりも狭い範囲であることを特徴とする請求項１に記載の太陽電池バックシートの製造方法。
【請求項３】
金属箔がアルミニウム箔であり、腐食が水酸化ナトリウム及び硫酸によって行われることを特徴とする請求項１又は２に記載の太陽電池バックシートの製造方法。
【発明の詳細な説明】
【技術分野】
【０００１】
本発明は、太陽電池用シート部材に関し、特に太陽電池モジュールの裏面側に配置して使用する太陽電池バックシートの製造方法に関するものである。
【背景技術】
【０００２】
太陽電池は太陽光のエネルギーを直接電気に換える太陽光発電システムの心臓部を構成するものであり、半導体からできている。また、その構造は、一般的に数枚〜数十枚の太陽電池素子を直列あるいは並列に配線し、素子を長期間に亘って保護するためのパッケージングが施され、ユニット化されている。
【０００３】
このパッケージに組み込まれたユニットを太陽電池モジュールと呼び、一般に太陽光が当たる面を前面ガラスで覆い、光透過性の熱可塑性プラスチックからなる充填材で間隙が埋められている。そして、裏面が耐熱性、耐湿性、耐水性、耐候性プラスチック材料などのシート（バックシート）で保護された構造になっている。
これらの太陽電池モジュールは、屋外で使用されるため、その構成、材質構造などにおいて、十分な耐熱性、耐候性、耐水性、防湿性、耐風圧性、耐光性、耐降雹性、耐薬品性、防湿性、防汚性、光反射性、光拡散性、その他の諸特性が要求される。
太陽電池モジュ−ルは、例えば、結晶シリコン太陽電池素子あるいはアモルファスシリコン太陽電池素子等を使用し、前面ガラス層、充填剤層、太陽電池素子、充填剤層、および、裏面保護シ−ト（シートバック）層等の順に積層し、真空吸引して加熱圧着するラミネ−ション法等を利用して製造されている。
【０００４】
その一般的な構造の一例の構成の断面説明図を図１に示した。
図１では、受光側（表面）から順に前面ガラス（表面保護シート）１、充填剤２、太陽電池素子３、バックシート４の順に積層されたモジュールとなっており、太陽電池素子の間をリード線５で連結して端子箱（ジャンクションボックス）７にある端子９から電力を取り出すようになっている。これらの構成要素を固定するために弾性のあるシール材６を介してアルミ枠８で囲む構造になっている。
【０００５】
この太陽電池モジュールの構成要素のなかで、バックシートは太陽電池素子とリード線等の内容物を保護するために、機械的強度に優れ、かつ、耐候性、耐熱性、耐水性、耐光性、耐風圧性、耐降雹性、耐薬品性、防湿性、防汚性、その他等の諸特性に優れ、特に、水分、酸素等の侵入を防止する防湿性が高く、長期的な性能劣化を最小限に抑え、耐久性に富み、かつ、より低コストで安全なことが求められている。
【０００６】
これらの諸特性を実現するために太陽電池モジュールを構成するバックシートとしては、絶縁性が高く、蒸着加工やコーティング加工等の二次加工が容易である特徴を生かしてプラスチックのフィルムあるいはシートが広く用いられており、単層のプラスチックシート以外に性能向上のための層を積層した積層シートが種々提案されている。
【０００７】
積層シートの一例を示すと、特許文献１に挙げられているように、 フッ素系樹脂シ−トの片面に、無機酸化物の蒸着薄膜を設けた太陽電池モジュ−ル用保護シ−トをバックシートに使用することが提案されている。例えば、フッ素系樹脂の高耐性という特徴を生かした、ポリフッ化ビニル（ＰＶＦ）／ポリエチレンテレフタレート（ＰＥＴ）／ポリフッ化ビニル（ＰＶＦ）の構成の積層シートが代表的である。また、汎用性のあるポリエチレンテレフタレート（ＰＥＴ）フィルムを使用する場合には内容物保護性を高めるためにＰＥＴの中間に無機酸化物の蒸着薄膜層を設けた、ＰＥＴ／ＰＥＴの無機酸化物蒸着シート／ＰＥＴのような構成の積層シートも用いられている。
【０００８】
さらに、モジュールの耐性をより高めるため、フッ素系樹脂シ−トの片面に、無機酸化物の蒸着薄膜を設けた太陽電池モジュ−ル用保護シ−トを裏面保護シ−ト（バックシート）として使用することにより、接着性等の諸特性、とくに、水分、酸素等の侵入を防止する防湿性を著しく向上させを向上させて内容物保護と耐久性を確保する試みも提案されている。
また、太陽電池セルの発電効率を上げる目的で、基材フイルムと白色インキ層と無機蒸着フイルムからなることを特徴とした太陽電池用バックシートが提案されている（特許文献２）。ここでは、白色インキ層によって入射光線を反射して太陽電池セルの発電効率を上げると同時に、白色インキ層のもう一つの効果として、入射光線を吸収しないでバックシート面で反射することによってモジュール内部の温度上昇を防ぎ、素子等の劣化が抑えられることが挙げられている。
【０００９】
太陽電池モジュールの温度上昇によって影響を受ける特性としては、寿命以外にも太陽電池セルの発電効率が低下するということが知られている。特に、結晶性シリコンの太陽電池素子を用いた場合にモジュール内部の温度上昇にともなって発電効率が低下し出力の低下を招来することが知られている。
太陽電池のバックシートにプラスチックシートを用いることによるバリア性や伝熱性の不足から来る欠点を補うための対策は上記文献を含めて数多く提案されている。
特に、バックシートの構成要素の中に熱伝導性が高くバリア性に優れるアルミニウム箔等の金属箔を用いるという従来の構成が、これらの問題点を解決するために見直されてきている。
【００１０】
従来より、太陽電池バックシートとしては、ポリフッ化ビニルフイルム等の耐熱性、耐湿性、耐水性、耐候性プラスチックで金属箔、とくに、アルミニウム箔をサンドイッチした積層構造の裏面保護シートが多く用いられていた。
金属箔を太陽電池用バックシートに使う理由の一つは内容物保護性、特に水蒸気や酸素のバリア性が優れていることと同時に高い熱伝導率によってモジュール内部で発生した熱を外部に放散する効果も期待できることにある。
しかしながら、上記の方法には、導電性の金属箔を用いることでリード線やジャンクションボックス等の他の部品との電気的接触の危険が存在する。
この問題の解決のためにいくつかの提案がなされている。
【００１１】
例えば、特許文献３では、太陽電池用裏面保護シートとして、モジュール成型時の溶融によるリード線や電極との接触を防止するために、高溶融粘度のポリエステル樹脂からなる耐熱、耐候性プラスチックフイルムで、金属箔をその両面からサンドイッチした構成の太陽電池用裏面保護シートが提案されている。
このような方法で、モジュール成型時に起こりうる変形に起因する、金属箔とリード線等の他の部材との接触を防止出来たとしても、水蒸気等のバリア性の確保とモジュール内部の熱の放散を同時に達成するために金属箔を使用する従来の方法では、金属箔端部のが露出したままであると、リード線やジャンクションボックス等の他部品との接触という問題点は依然として残されている。この問題点は、従来の太陽電池のみならず今後の展開が期待される薄型太陽電池の場合にはより深刻である。
現在一般的な太陽電池は結晶系と呼ばれるもので、モジュールとしては、前記の図に示したように、１００ｍｍ角ほどの薄い結晶シリコンの光起電力素子（太陽電池素子）を直列に並べたものである。結晶系太陽電池ではそれぞれの太陽電池素子が配線で接続されているため、その配線をジャンクションボックスに接続することで発電された電気を取り出すことが出来る。
【００１２】
しかし、薄膜太陽電池は、基材にシリコンや金属化合物、有機化合物色素などを塗布や蒸着などの方法によって形成したものであり、発電された電気を取り出すには、発電層の裏側全面に配置された金属膜によっておこなうこととなる。このような構造のため、薄膜太陽電池バックシートの端面に金属箔が露出していると、電気取り出しの金属膜と金属箔が接触し、短絡や漏電の危険があった。
【００１３】
さらに、薄膜太陽電池の光起電力素子の構成要素であるシリコン、金属化合物、有機化合物色素などは極端に水蒸気による影響を受け易いため、プラスチックフィルムを基材にした蒸着フィルム等のみで構成するバックシートではバリア性が不十分であり、バリア性の非常に高いアルミニウム箔のような金属箔が含まれていることが必須とされる。
バックシートの端面より金属箔が露出するのを防ぐための一つの方法として、これまでに、両面にプラスチックフィルムを貼り合せた金属箔を打ち抜いた後に絶縁性のテープ等を用いて抜きパターンの端部を封止する方法が行われている。また、プラスチックフィル
ムとあらかじめ用意した打ち抜きパターンより少し小さめの枚葉の金属箔を貼り付けた後、金属箔の周縁部からプラスチックフィルムが延設された形でやや広く打ち抜き、端部の露出がないバックシートを作成する方法も考えられている。
以下、図を用いて金属箔の端部露出の典型例と従来の対策を説明する。
図３は金属箔の両面にプラスチックフィルムを貼り合せた比較的単純な構成の太陽電池バックシートの断面の説明図であり、上記の貼り合せた積層体を、ジャンクションボックス配置領域１６の周辺１４とバックシート外縁部１５のパターンで打ち抜いた場合の平面図（図３−１）とそのａ−ｂ線での断面図（図３−２）を示している。
全面に金属箔とプラスチックフィルムが積層されたシートを打ち抜いただけでは、例えばジャンクションボックスやリード線がバックシートを貫通する部分１６では金属箔１８の切断端面１４と容易に接触して短絡する危険がある。同様に金属箔１８の外縁部の切断端面１５も近辺の電極等と容易に接触して短絡する危険がある。
これを防止する従来の方法のひとつは、全面に金属箔とプラスチックフィルムが積層されたシートを打ち抜いた後に金属箔１８の端面露出部分１４と１５に絶縁性のテープ等を用いて抜きパターンの端部を封止する方法である。
しかし、この方法による端部封止では加工速度が上がらず、また、加工賃も高く、設備が限定されるため結果として非常に高コストな加工方法となってしまう。封止する金属箔部がバックシート外縁を含むような長く複雑な形状の場合にはこれらの問題点は特に顕著になる。
【００１４】
以上のように,従来の技術においては、太陽電池バックシートに要求される内容物保護機能、代表的には、太陽電池の出力低下を引き起こすセルや配線の腐食等を防止するための防湿性や屋外での長期使用に耐えうる耐候性を備えた上で、さらに必要な電気絶縁性を確保したバックシートを安定した効率的な工程で製造する点で問題点が残されていた。
【特許文献１】特開２０００−１８８４１２号公報
【特許文献２】特開２００６−２１０５５７号公報
【特許文献３】特開２００２−１３４７７０号公報
【発明の開示】
【発明が解決しようとする課題】
【００１５】
太陽電池モジュールに使用するバックシートの構成に熱放散とバリア性の向上のために金属箔を用いる場合に、シート端部の金属の露出による短絡等の障害を防止することの出来る端面を備えたシートを、安定した効率的な工程で製造することが課題である。
【課題を解決するための手段】
【００１６】
削除。
【００１７】
上記の課題に対して本発明の請求項１の発明は、基材となるプラスチックフィルムの片面に貼り合せた金属箔の上からパターン状に防護ニスを印刷し、非印刷領域の金属箔を腐食によって除去した後に、防護ニスを剥離することなく、金属箔の上から全面にプラスチックフィルムを貼り合せてパターンを打ち抜き、
基材となるプラスチックフィルムの金属箔との貼り合せからパターンの打ち抜きまでの各工程が、巻取りでの連続加工で行われることを特徴とする太陽電池バックシートの製造方法である。
【００１８】
請求項２の発明は、防護ニスが印刷される範囲が打ち抜くパターンよりも狭い範囲であることを特徴とする請求項１に記載の太陽電池バックシートの製造方法である。
【００１９】
請求項３の発明は、金属箔がアルミニウム箔であり、腐食が水酸化ナトリウム及び硫酸によって行われることを特徴とする請求項１又は２に記載の太陽電池バックシートの製造
方法である。
【００２０】
削除。
【発明の効果】
【００２１】
本発明の太陽電池バックシートの製造方法によれば、金属箔を用いることによって、内容物保護性特に、水蒸気や酸素ガス等に関するガスバリア性、熱放散性に優れ、かつ金属箔を用いることから来る金属の露出による弊害を防止したバックシートを提供することが出来る。さらに、このような特長を備えたバックシートを巻取りでの連続加工によって安定した工程で効率的に製造する方法を提供することが出来る。
【発明を実施するための最良の形態】
【００２２】
以下、本発明の実施形態の一例について図を参照しながら詳細に説明する。
図２は本発明の製造方法で製造した太陽電池バックシートの簡略説明図である。図２−１は本発明の製造方法で製造した太陽電池バックシートの平面図であり、図２−２はそのＡ−Ｂ線での切断面の断面図である。
【００２３】
本発明の製造方法で製造する太陽電池バックシートは、金属箔の両面に、少なくともプラスチックフィルムが積層された、太陽電池モジュールの裏面保護に用いる積層体シートであって、中間層の金属箔の端面が延設された両面のプラスチックフィルムによって封止されていることを特徴とする太陽電池バックシートである。
【００２４】
このような太陽電池バックシートはジャンクションボックス、リード線等の配設される位置に開けられた穴の周囲でも、シート外縁のすべての場所でも金属箔の端面がプラスチックシートにより封止されているために電気絶縁性という点でも安全に使用できる優れた性能を有している。
【００２５】
このようなバックシートの作成手順の一例を挙げると、あらかじめ打ち抜きのパターンの周縁１２、１３よりやや狭いパターン１４，１５の形状に金属箔を打ち抜き、それをプラスチックフィルム１７に貼り合わせて積層体を作り、金属箔よりやや広いパターン１２，１３の形状に打ち抜いて、金属箔の端部が貼り合わせたプラスチックフィルムによって封止されるようにした方法でも図２に示すようなシートが作成出来る。
【００２６】
本発明で使用するプラスチックフィルムとしてはポリエチレンテレフタレート（ＰＥＴ）、ポリエチレンナフタレート（ＰＥＮ）、ポリブチレンテレフタレート（ＰＢＴ）、ポリシクロヘキサンジメタノール−テレフタレート（ＰＣＴ）から選ばれるポリエステル基材、ポリカーボネート系基材、あるいはアクリル系基材から選択することが出来る。その他のポリオレフィン系樹脂、ポリアミド系樹脂、ポリアリレート系樹脂などについても、耐熱性、強度物性、電気絶縁性等を考慮して適宜選択することが可能である。特に、耐候性等の耐性を重視する場合にはフッ素系樹脂フィルムが賞用される。
【００２７】
フッ素系樹脂フィルムとしては、ポリフッ化ビニル（ＰＶＦ）、ポリフッ化ビニリデン（ＰＶＤＦ）、ポリクロロトリフルオロエチレン（ＰＣＴＦＥ）、ポリエチレンテトラフルオロエチレン（ＥＴＦＥ）、ポリテトラフルオロエチレン（ＰＴＦＥ）、テトラフルオロエチレンパーフルオロアルキルビニルエーテル共重合体（ＰＦＡ）、テトラフルオロエチレンーヘキサフルオロプロピレン共重合体（ＦＥＰ）、あるいはこれらフッ素系樹脂のアクリル変性物のフィルムまたはシートから適宜選択できる。
【００２８】
本発明の太陽電池バックシートの製造方法に用いるプラスチックフィルムとしては、ＰＶＦフィルムまたはＰＥＴフィルムが好ましく、さらに、数平均分子量が１８０００〜４
００００の範囲で環状オリゴマーコンテントが１．５重量％以下、固有粘度が０．５ｄｌ／ｇ以上の、耐加水分解性を有するポリエステルフィルムであることが望ましい。
【００２９】
プラスチックフィルムの厚さは適宜設定できるが、加工適性、寸法安定性、価格の見地よりＰＶＦフィルムの場合２５μｍから５０μｍ、ＰＥＴフィルムの場合は５０μｍから１５０μｍの厚さのものが好ましい。
【００３０】
また、プラスチックフィルムは単体でも良いが、バリア性や密着性等の物性を向上させる目的で無機酸化物の蒸着等の処理や積層を行ったものでも使用できる。図４及び図５に積層を行った場合の積層体の例を断面説明図で示した。
【００３１】
図４には、積層体として、ＰＥＴフィルム１７／接着剤層２２／防護ニス２１／アルミニウム箔１８／接着剤層２０／ＰＥＴフィルム１９の層構成の場合の断面を示した。この構成は安価なＰＥＴフィルムを用いた比較的単純な構成であり特別な性能が要求されない場合に適合する。
【００３２】
図５には、積層体として、ＰＶＦフィルム２３／接着剤層２２／防護ニス２１／アルミニウム箔１８／接着剤層２０／ＰＥＴフィルム１９／接着剤層２４／ＰＶＦフィルム２５の層構成の場合の断面を示した。この構成は図４の構成に比べて価格的には不利であるがＰＶＦフィルムの使用によって耐候性の要求される用途等の特別な性能が要求される場合に適合する。本発明に使用できる積層体の層構成はこれに限られるものではない。
【００３３】
本発明の太陽電池バックシートの製造方法に用いる金属箔としては、熱放散性及びガスバリア性の点から、アルミニウム箔あるいは銅箔が代表的であるが、価格と加工性から見て、アルミニウム箔が好ましい。アルミニウム箔の場合は厚さは１０μｍから５０μmの範囲であることが好ましい。厚さが１０μｍ以下であると、ピンホール等のバリア性を阻害する欠陥が生じ易く、厚さが５０μｍを超える必要はない。
【００３４】
金属箔とプラスチックフイルムの積層方法は、ドライラミネート法、エキストルーダー法、熱ラミネート法、等特に方法は限定されないが耐熱性の観点からドライラミネート法が好ましく用いられる。接着剤層に使用する接着剤は、プラスチックフイルムである基材と金属箔の接着強度が、長期間の屋外使用で劣化してデラミネーションなどを生じないこと、さらに接着剤が黄変しないことなどが必要であり、ウレタン系接着剤などが使用できる。
【００３５】
この接着剤層を形成する樹脂としては、ポリエステル系、ポリエーテル系、ポリウレタン系、ポリエーテルウレタン系、ポリエステルウレタン系、イソシアネート系、ポリオレフィン系、ポリエチレンイミン系、シアノアクリレート系、有機チタン化合物系、エポキシ系、イミド系、シリコーン系の樹脂およびこれらの変性物、または、混合物からなる周知のドライラミネーション用接着剤として用いられている樹脂を挙げることができる。
また、前記接着剤層を形成する樹脂には、シランカップリング剤を適宜混合することができる。これに用いるシランカップリング剤としては、たとえば、３−グリシドキシプロピルトリメトキシシラン等のエポキシ系オルガノシラン化合物、〔３−（２−アミノエチル）アミノプロピル〕トリメトキシシラン等のアミン系オルガノシラン化合物、あるいは、３−イソシアネートプロピルトリエトキシシラン等のイソシア系オルガノシラン化合物を挙げることができる。
【００３６】
このようにして作成された太陽電池バックシートは先に述べたような優れた性能を有しているが、あらかじめ枚葉で切り抜いた金属箔をプラスチックフィルムに貼り付ける工程を含む前記の製造方法は、いくつかの改良の余地があった。すなわち、切り抜いた金属箔
を１枚づつプラスチックフィルム上に配置して、プラスチックフィルムを貼り合わせてから位置を合わせて打ち抜く方法では、断続作業のために連続生産が困難である。また、切り抜いた金属箔を配置する位置がずれ易いために打ち抜きパターンとの位置合わせが困難であり、特にプラスチックシートに不透明のものを用いる場合には目視での位置合わせが不可能な場合がある、等々である。
【００３７】
上記の太陽電池バックシートを、安定して連続で製造するための方法を鋭意検討した結果、金属箔をあらかじめ打ち抜くことなく、プラスチックフィルムと金属箔の巻き取りから連続的に製造するために、金属箔の機械的な打ち抜きに代えて化学的な腐食によりプラスチックフィルム上で金属箔の不要な部分を連続的に除去することによる、請求項１から３に示す太陽電池バックシートの製造方法を完成するに至った。
【００３８】
すなわち、これらの発明は、基材となるプラスチックフィルムの片面に貼り合せた金属箔の上からパターン状に防護ニスを印刷し、非印刷領域の金属箔を腐食によって除去した後に、防護ニスを剥離することなく、金属箔の上から全面にプラスチックフィルムを貼り合せてパターンを打ち抜き、基材となるプラスチックフィルムの金属箔との貼り合せからパターンの打ち抜きまでの各工程が、巻取りでの連続加工で行われることを特徴とする太陽電池バックシートの製造方法である。
【００３９】
また、これらの発明は、金属箔端部のプラスチックフィルムによる封止部分を確保するために、防護ニスが印刷される範囲が打ち抜くパターンよりも狭い範囲であることを特徴とする太陽電池バックシートの製造方法である。
【００４０】
さらに、これらの発明は、金属箔がアルミニウム箔であり、腐食が水酸化ナトリウム及び硫酸によって行われることを特徴とする太陽電池バックシートの製造方法である。
【００４１】
削除。
【００４２】
以下、図を参照して請求項１から３に関わる本発明の一実施形態を説明する。
【００４３】
図２は先に説明した本発明の製造方法で製造する太陽電池バックシートの平面図（図２−１）及び簡略断面図（図２−２）である。
【００４４】
図６から図９までが本発明の請求項１の太陽電池バックシートの製造方法の簡略説明図であり、図６はプラスチックフィルムと金属箔の貼り合わせ後、図７は金属箔面に防護ニス印刷後、図８は腐食により金属箔の不要部分を除去した後、図９は腐食後金属箔面側にプラスチックフィルムを貼り合せた後のそれぞれの状態を示す平面図及び簡略断面図である。図９の打ち抜き後の状態は図２で代用する。また、これらの図では説明の簡略化のために接着剤層は図示しない。
（１）本発明の方法では、まず、基材となるプラスチックフィルムと金属箔を貼り合せる。
【００４５】
本発明の方法で使用するプラスチックフィルムとしてはＰＥＴフィルムやＰＶＦフィルム等の前記の候補のなかから適宜選択できる。また、プラスチックフィルムと金属箔の接着力を確保するためのプラスチックフィルム表面の活性化表面処理もたとえば、コロナ放電処理等の周知の方法で行うことができる。
【００４６】
本発明の方法で使用する金属箔としてはたとえばアルミニウム箔等の前記の候補のなかから適宜選択できる。また、プラスチックフィルムと金属箔の接着力を確保するための金属箔の活性化表面処理は箔の種類に対応した周知の方法でできる。この方法とは、アルカ
リ浸漬法、電解洗浄法、酸洗浄法、電解酸洗浄法、酸活性化法等の周知の処理方法である。
【００４７】
本発明の方法で使用する貼り合せ方法はたとえばドライラミネート法等の周知の方法から適宜選択出来る。また、ドライラミネート法の場合の接着剤は前記の候補のなかからたとえばウレタン系接着剤等適宜選択できる。
【００４８】
図６では幅方向の端部が１２で示される幅のプラスチックフィルムと幅方向の端部が１５で示される幅の金属箔を貼り合せた後の積層シートの状態を示しており、１２で示されている端部は太陽電池バックシートの製品としての端部になる位置でもある。
【００４９】
このようにすると、後の打ち抜き工程での幅方向の端部切断が不要になるために打ち抜き工程での見当合わせがやり易くなる。
【００５０】
この工程での貼り合わせによって図６−２で断面を示した、プラスチックフィルムと金属箔貼り合わせ後の積層シートが出来る。
（２）本発明の方法の第２工程は、プラスチックフィルムと貼り合せた金属箔の上から防護ニスを印刷することである。
【００５１】
貼り合わせ工程において貼り合わされた金属箔の表面はロール等との接触による汚染や環境からくる汚染ないし酸化等によって次工程の防護ニスの塗工に支障をきたす場合がある。そのため、必要なら印刷前に金属箔表面に周知の活性化表面処理を行う。
【００５２】
本発明の方法の防護ニスとしては、金属箔への接着性と腐食液に対する一時的な耐性（耐酸性、耐アルカリ性）が必要であり、それぞれの金属箔種類に応じた適切な接着剤が選ばれる。金属箔がアルミニウム箔の場合は、例えばアクリル系、塩酢ビ系、硝化綿系、ポリアミド系等から適宜選択できる。
【００５３】
本発明の方法の印刷方式はグラビア方式やオフセット方式等の周知の方式が可能であるがドライラミネートと同じ装置で実施できること等からグラビア印刷法がより望ましい。
【００５４】
ただし、箔の機械的性質によってはグラビアオフセットが適切な場合もある。たとえば、貼り合わせ前の金属箔に防護ニスを印刷することも可能であるがこの場合は通常のグラビア印刷方式だと困難であり、グラビアオフセットが適切である。
【００５５】
防護ニスの印刷パターンは印刷される範囲が後工程で打ち抜くパターンよりも狭い範囲すなわち打ち抜いたときに金属箔の端部が露出しないようなパターンである。
たとえば、図７−１の平面図に示した印刷範囲１４が図２−１で示した後工程で打ち抜くパターン１３よりも印刷面積として狭い範囲にあるようなパターンであり、このようにして打ち抜き後の金属箔端部が確実にプラスチックフィルム端部によって封止されるようになる。このようにして、図７に示した防護ニス印刷後の積層シートが出来る。
（３）本発明の方法の第３工程は、防護ニス非印刷領域の金属箔を腐食によって除去することである。
【００５６】
本発明の方法に用いる腐食液は金属により異なり、それぞれの金属に対して周知の組成から適宜選択できる。金属箔が銅箔の場合は、たとえば塩化第二銅溶液や塩化第二鉄溶液が、鉄箔の場合は塩化第二鉄溶液が腐食液として使用出来る。金属箔がアルミニウム箔の場合は、酸またはアルカリ溶液が腐食液として使用出来る。
【００５７】
アルミニウム箔の腐食に用いる腐食液としては代表的な無機酸と無機アルカリとして硫
酸と水酸化ナトリウムが適当である。その他に、酸としては塩酸、硝酸等、アルカリとしては水酸化カリウム等が使用可能ではあるが、塩酸は雰囲気中への塩化水素の揮散によって周辺機器の腐食等の弊害があり、その他はいずれも高価である。
【００５８】
また、アルミニウム箔の場合、腐食液を単独で用いた場合の腐食液成分の残留を防止するために、本発明の方法では、水酸化ナトリウム水溶液で腐食後硫酸で中和する工程を採用している。酸もしくはアルカリいずれの場合でも、単独で用いた場合には水洗のみでは腐食液成分の残留を防ぐことは困難であり、残留酸成分または残留アルカリ成分による弊害を避けることが出来ない。
【００５９】
本発明の方法で腐食に用いる装置としては浸漬法、モルトンローラー法、スプレー法等々の周知の方法が適用できる。腐食後の水洗及び乾燥も含めて適宜選択できる。
図７に示した防護ニス印刷後の本発明の方法による積層体のアルミニウム箔の腐食除去後の状態を図８に示した。
（４）本発明の方法の第４工程は、腐食されずに残った金属箔の上から積層体の全面にプラスチックフィルムを貼り合せることである。
【００６０】
プラスチックフィルムとしては前記の候補のなかから適宜選択できる。また、プラスチックフィルムの活性化表面処理と貼り合せも周知の方法でできる。ドライラミネートの場合の接着剤は前記の候補のなかから適宜選択できる。
【００６１】
図８に示したアルミニウム箔の腐食除去後の本発明の方法による積層体の全面にプラスチックフィルムを貼り合せた後の状態を図９に示した。
（５）本発明の方法の第５工程は、全面にプラスチックフィルムを貼り合せた積層体からパターンを打ち抜いて不要部分を除去して太陽電池バックシートを作成することである。
【００６２】
図８のシートを、外側が図２の１２のパターンで内側が１３のパターンとなっている刃で見当を合わせて打ち抜き、１３の内側と１２の外側の切りくずを捨てて図２に示した太陽電池バックシートが完成する。
【００６３】
以下に本発明の一例の具体的な実施例を挙げて説明する。
【実施例】
【００６４】
＜実施例１＞
基材とするプラスチックフイルムとして、押出法により製造された厚さ５０μｍのポリエチレンテレフタレート（ＰＥＴ）樹脂フイルム１９の片面にドライラミネート機により、固形分３０重量％の武田薬品工業（株）製ポリウレタン系接着剤（主剤タケラックＡ５１５／硬化剤タケネートＡ５０＝１０／１溶液）を乾燥状態での塗布量が４．０ｇ／ｍ２となるように塗布した。その上に金属箔として厚さ２５μｍのアルミニウム箔１８を貼り合わせた。しかる後そのアルミニウム箔面に、中心部に非塗工部分を有するパターン２１の繰り返しからなる絵柄のグラビア版を用いて防護ニスのパターン塗工を行った。防護ニスとしては、アクリル−塩酢ビ系のＬＰＶＭＳＯＰワニスＣ（東洋インキ製造（株）製）を用いた。
【００６５】
次に、モルトンローラー式腐食装置を用いて、水酸化ナトリウム水溶液を前記シートの防護ニス塗工面から供給して防護ニスの塗工されていない領域のアルミニウム箔を溶解除去した。連続して、硫酸洗浄及びスプレー水洗を行った後温風乾燥して図８に模式的に示すような積層体を得た。
【００６６】
さらに、プラスチックフイルムとして、押出法により製造された、厚さ５０μｍのポリエチレンテレフタレート（ＰＥＴ）樹脂フイルム１７の片面にドライラミネート機により、固形分３０重量％の武田薬品工業（株）製ポリウレタン系接着剤（主剤タケラックＡ５１５／硬化剤タケネートＡ５０＝１０／１溶液）を乾燥状態での塗布量が４．０ｇ／ｍ２となるように塗布して前記積層体のアルミニウム箔側に貼り合わせて１２、１３のように打ち抜き、本発明の太陽電池バックシートを作成した。
【００６７】
これにより、シート端部の金属の露出による短絡等の障害を防止することの出来る端面を備えた太陽電池バックシートを、安定した効率的な工程で製造することが出来た。
【００６８】
＜実施例２＞
基材とするプラスチックフイルムとして、押出法により製造された、厚さ５０μｍのポリエチレンテレフタレート（ＰＥＴ）樹脂フイルム１９の片面にドライラミネート機により、固形分３０重量％の武田薬品工業（株）製ポリウレタン系接着剤（主剤タケラックＡ５１５／硬化剤タケネートＡ５０＝１０／１溶液）を乾燥状態での塗布量が４．０ｇ／ｍ２となるように塗布した。その上に金属箔として厚さ２５μｍのアルミニウム箔１８を貼り合わせた。しかる後そのアルミニウム箔面に、中心部に非塗工部分を有するパターン２１の繰り返しからなる絵柄のグラビア版を用いて防護ニスのパターン塗工を行った。防護ニスとしては、硝化面−ポリアミド系のＧＮＣ−ＳＴメジウム（東洋インキ製造（株）製）を用いた。
【００６９】
次に、モルトンローラー式腐食装置を用いて、水酸化ナトリウム水溶液を前記シートの防護ニス塗工面から供給して防護ニスの塗工されていない領域のアルミニウム箔を溶解除去した。連続して、硫酸洗浄及びスプレー水洗を行った後温風乾燥して図８に模式的に示すような積層体を得た。
【００７０】
さらに、プラスチックフイルムとして、厚さ２５μｍのポリフッ化ビニル（ＰＶＦ）樹脂フイルム２３の片面にドライラミネート機により、固形分３０重量％の武田薬品工業（株）製ポリウレタン系接着剤（主剤タケラックＡ５１５／硬化剤タケネートＡ５０＝１０／１溶液）を乾燥状態での塗布量が４．０ｇ／ｍ２貼となるように塗布して前記積層体のアルミニウム箔側に貼り合わせた。さらに、プラスチックフイルムとして、厚さ２５μｍのポリフッ化ビニル（ＰＶＦ）樹脂フイルム２５の片面にドライラミネート機により、固形分３０重量％の武田薬品工業（株）製ポリウレタン系接着剤（主剤タケラックＡ５１５／硬化剤タケネートＡ５０＝１０／１溶液）を乾燥状態での塗布量が４．０ｇ／ｍ２となるように塗布して前記積層体のＰＥＴフィルム側に貼り合わせた。
【００７１】
この積層体を見当を合わせて１２、１３のようなパターンに打ち抜き、本発明の太陽電池バックシートを作成した。
【００７２】
これにより、シート端部の金属の露出による短絡等の障害を防止することの出来る端面を備えた耐候性に優れた太陽電池バックシートを、安定した効率的な工程で製造することが出来た。
【図面の簡単な説明】
【００７３】
【図１】太陽電池モジュールの一例の構成断面説明図
【図２】本発明の製造方法で製造する太陽電池バックシートの簡略説明図 図２−１は平面図 図２−２はＡ−Ｂ線での簡略断面図
【図３】太陽電池バックシートの端面状態の簡略説明図 図３−１は平面図 図３−２はａ−ｂ線での簡略断面図
【図４】本発明の製造方法で製造する太陽電池バックシート層構成例の簡略説明図
【図５】本発明の製造方法で製造する太陽電池バックシート層構成例の簡略説明図
【図６】本発明の製造方法で製造する太陽電池バックシートの簡略説明図（金属箔貼合わせ後）図６−１は平面図 図６−２はＡ−Ｂ線での簡略断面図
【図７】本発明の太陽電池バックシートの製造方法の簡略説明図（防護ニス印刷後）図７−１は平面図 図７−２はＡ−Ｂ線での簡略断面図
【図８】本発明の太陽電池バックシートの製造方法の簡略説明図（腐食後）図８−１は平面図 図８−２はＡ−Ｂ線での簡略断面図
【図９】本発明の太陽電池バックシートの製造方法の簡略説明図（プラスチックフィルム貼合わせ後）図９−１は平面図 図９−２はＡ−Ｂ線での簡略断面図
【符号の説明】
【００７４】
１…前面ガラス
２…充填材
３…太陽電池素子
４…バックシート
５…リード線
６…シール剤
７…ジャンクションボックス
８…アルミ枠
９…端子
１０…バックシート
１２…プラスチックフィルム外縁部
１３…プラスチックフィルム内縁部
１４…金属箔内縁部
１５…金属箔外縁部
１６…ジャンクションボックス位置
１７…ＰＥＴフィルム
１８…アルミニウム箔
１９…ＰＥＴフィルム
２０…接着剤層
２１…防護ニス
２２…接着剤層
２３…ＰＶＦフィルム
２４…接着剤層
２５…ＰＶＦフィルム
【図１】
0005145992.tif 000002
【図２】
0005145992.tif 000003
【図３】
0005145992.tif 000004
【図４】
0005145992.tif 000005
【図５】
0005145992.tif 000006
【図６】
0005145992.tif 000007
【図７】
0005145992.tif 000008
【図８】
0005145992.tif 000009
【図９】
0005145992.tif 000010